(57)【要約】【課題】ユーザインタフェース画面の切換え操作に関するユーザの利便性を向上させることができる。【解決手段】アプリケーションに対応した画像情報９０１をアプリケーションの種別９０２毎に管理する管理手段３７と、アプリケーション起動時に第１画像情報を選定するとともに、この第１画像情報の選定後、定められた日時に同一のアプリケーションの種別に属する第２画像情報を選定する画像選定手段２７と、前記第１画像情報の選定に伴い、前記第１画像情報から第１画像を生成して表示装置に表示させるとともに、前記第２画像情報の選定に伴い、当該第２画像情報から第２画像を生成し、この第２画像を前記第１画像から切り替えて前記表示装置に表示させる表示手段１３と、を具備する。【選択図】  図４
2010237771.tif 000002
【特許請求の範囲】
【請求項１】
アプリケーションに対応した画像情報をアプリケーションの種別毎に管理する管理手段と、
現在時刻が予め設定された時間的条件に合致するか否か判別する判別手段と、
アプリケーションの起動に伴って前記管理手段で管理される画像情報のうち、当該アプリケーションの種別と同一種別に属する第１画像情報を選定するとともに、この第１画像情報の選定後に前記判別手段で現在時刻が前記時間的条件に合致すると判別した場合には前記種別に属する第２画像情報を新たに選定する画像選定手段と、
前記画像選定手段による前記第１画像情報の選定に伴い、前記第１画像情報から第１画像を生成して表示装置に表示させるとともに、前記画像選定手段による前記第２画像情報の選定に伴い、当該第２画像情報から第２画像を生成し、この第２画像を前記第１画像から切り替えて前記表示装置に表示させる表示手段と、
を具備することを特徴とする情報処理装置。
【請求項２】
前記画像選定手段は、前記第１画像情報の選定後、所定時間の経過に伴い、前記第２画像情報を選定することを特徴とする請求項１記載の情報処理装置。
【請求項３】
前記画像選定手段は、前記第１画像情報の選定後、電源の再起動処理またはアプリケーションの再起動処理の何れか少なくとも一方の処理に伴い、前記第２画像情報を選定することを特徴とする請求項２記載の情報処理装置。
【請求項４】
放送局からの放送波を受信する放送波受信手段と、
操作入力を受ける入力手段と、を更に具備し、
前記画像選定手段は、前記第１画像情報の選定後に、定められたチャンネルへの前記入力手段による選択入力処理または定められた放送番組の表示処理の何れか少なくとも一方の処理に伴い、前記第２画像情報を選定することを特徴とする請求項３記載の情報処理装置。
【請求項５】
前記画像選定手段は、現在表示されている放送番組のジャンルコードを参照して記第１画像情報と前記第２画像情報とを選定することを特徴とする請求項４記載の情報処理装置。
【請求項６】
前記表示手段は、前記時間的条件に時間指定がない場合、当該時間的条件に合致する日付で初めに実行される電源起動に伴い、前記第２画像を前記第１画像から切り替えて前記表示装置に表示させることを特徴とする請求項５記載の情報処理装置。
【請求項７】
前記画像選定手段は、疑似乱数を用いて前記第１画像情報と前記第２画像情報とを選定することを特徴とする請求項６記載の情報処理装置。
【請求項８】
前記画像選定手段は、前記入力手段により指定された画像情報を前記第１画像情報および前記第２画像情報として順に選定することを特徴とする請求項７記載の情報処理装置。
【請求項９】
前記画像選定手段は、前記管理手段で管理される画像情報毎に過去選定処理が実行された回数を参照し、所定回数以上に選定処理が実行された画像情報を今後の選定対象から外すことを特徴とする請求項８記載の情報処理装置。
【請求項１０】
前記画像選定手段は、関連するアプリケーションの他の種別に属する画像情報を前記第２画像情報として選定することを特徴とする請求項９記載の情報処理装置。
【請求項１１】
前記管理手段で管理される画像情報は、インターネット上のリソースの所在を示すＵＲＬ情報を格納し、
前記表示手段は、前記画像情報の前記ＵＲＬ情報を用いて前記リソースへのアクセスを可能とする画像を生成し、前記表示装置に表示させることを特徴とする請求項１０記載の情報処理装置。
【請求項１２】
前記管理手段は、前記アプリケーションの種別を相互に関連するグループ毎に分けて管理することを特徴とする請求項１１記載の情報処理装置。
【請求項１３】
放送波を受信する受信手段と、
操作入力を受ける入力手段と、
アプリケーションに対応した画像情報をアプリケーションの種別毎に管理する管理手段と、
前記管理手段で管理される第１画像情報を選定するとともに、この第１画像情報の選定後、定められたチャンネルへの前記入力手段による選択入力処理または定められた放送番組の表示処理の何れか少なくとも一方の処理に伴い、前記管理手段で管理される第２画像情報を新たに選定する画像選定手段と、
前記画像選定手段による前記第１画像情報の選定に伴い、前記第１画像情報から第１画像を生成して表示装置に表示させるとともに、前記画像選定手段による前記第２画像情報の選定に伴い、当該第２画像情報から第２画像を生成し、この第２画像を前記第１画像から切り替えて前記表示装置に表示させる表示手段と、
を具備することを特徴とする情報処理装置。
【発明の詳細な説明】
【技術分野】
【０００１】
本発明は、情報処理装置に関する。
【背景技術】
【０００２】
従来、ネットワーク内にある装置により、映像やオーディオ等を含むコンテンツデータを再生・記録するための方法の一例として、サーバを用いる方法が提案されている。このような方法では、サーバと通信可能な通信端末の表示画面にＧＵＩ（Ｇｒａｐｈｉｃａｌ  Ｕｓｅｒ  Ｉｎｔｅｒｆａｃｅ）画像を表示することにより、所望のコンテンツデータを指定可能とする。
【０００３】
例えば特許文献１には、コンテンツデータの再生の際に表示されるユーザインタフェース画面をユーザの好みに応じて変更することができる移動体通信端末が開示されている。
【先行技術文献】
【特許文献】
【０００４】
【特許文献１】特開２００７−３２４７５５号公報
【発明の概要】
【発明が解決しようとする課題】
【０００５】
しかしながら、従来の技術では、ユーザインタフェース画面を定期的に切り替えることについて考慮がなされていない。例えば特許文献１に示すような装置では、ユーザインタフェース画面が複数設けられている場合、ユーザ自らが逐次切換え操作を行う必要があり、利便性に欠ける。
【０００６】
本発明の目的は、ユーザインタフェース画面の切換え操作に関するユーザの利便性を向上させることができる情報処理装置を提供することにある。
【課題を解決するための手段】
【０００７】
前記目的を達成するため、本発明の一つの形態に係る情報処理装置は、アプリケーションに対応した画像情報をアプリケーションの種別毎に管理する管理手段と、アプリケーション起動時に前記管理手段で管理される画像情報のうち、当該アプリケーションの種別に属する第１画像情報を選定するとともに、この第１画像情報の選定後、定められた日時に同一のアプリケーションの種別に属する第２画像情報を選定する画像選定手段と、前記画像選定手段による前記第１画像情報の選定に伴い、前記第１画像情報から第１画像を生成して表示装置に表示させるとともに、前記画像選定手段による前記第２画像情報の選定に伴い、当該第２画像情報から第２画像を生成し、この第２画像を前記第１画像から切り替えて前記表示装置に表示させる表示手段と、を具備する。
【発明の効果】
【０００８】
上記の構成によれば、ユーザインタフェース画面の切換え操作に関するユーザの利便性を向上させることができる情報処理装置を提供できる。
【図面の簡単な説明】
【０００９】
【図１】本実施形態のデジタルテレビ受信機を含む、デジタルテレビ放送システムの全体構成のブロック図である。
【図２】本実施例のデジタルテレビ受信機の構成の一実施の形態を示すブロック図である。
【図３】本実施例のブラウザ処理部によるＧＵＩ情報取得機能を示す図である。
【図４】本実施例におけるポータルサイトサーバからのＧＵＩ情報を基に生成したＧＵＩ画像を、従来のＧＵＩ画像から切り替えるまで流れを示す図である。
【図５】本実施例におけるポータル画面の一例を示すフローチャートである。
【図６】本実施例におけるデジタルテレビ受信機で管理するＧＵＩ情報の格納形態の一例を示す図である。
【図７】本実施例のＧＵＩ画像の一例を示す図である。
【図８】本実施例におけるデジタルテレビ受信機のＧＵＩ情報の管理形態の一例を示す図である。
【図９】本実施例におけるデジタルテレビ受信機１２の動作の一例を示すフローチャートである。
【発明を実施するための形態】
【００１０】
以下、図面を参照して本発明の実施形態を説明する。
まず、図１及び図２を参照して、本発明の一実施形態に係るデジタルテレビ受信機（情報処理装置）の構成を説明する。図１は、本実施形態のデジタルテレビ受信機を含む、デジタルテレビ放送システムの全体構成のブロック図である。図２は、本実施例のデジタルテレビ受信機の構成の一実施の形態を示すブロック図である。
【００１１】
図１おいて、デジタルテレビ放送システムは、デジタルテレビ放送波を送信する放送局１と、放送局１からの放送波を受信可能で、ネットワーク通信により所望のサーバにアクセスする機能を備えたデジタルテレビ受信機１２と、ネットワーク１５に接続された機器を個別に、或いはメーカごとのサポート情報を提供するポータルサイトサーバ２と、から成る。尚、ＩＰ（Ｉｎｔｅｒｎｅｔ  Ｐｒｏｔｏｃｏｌ）ネットワーク１５は、例えばＬＡＮ（Ｌｏｃａｌ  Ａｒｅａ  Ｎｅｔｗｏｒｋ）等である。尚、サポート情報とは、例えばデジタルテレビ受信機１２の製造メーカ等から提供される情報であり、例えばデジタルテレビ受信機１２で機能するアプリケーションに対応したＧＵＩ（Ｇｒａｐｈｉｃａｌ  Ｕｓｅｒ  Ｉｎｔｅｒｆａｃｅ）画像を生成するためのＧＵＩ情報、機器のメンテナンス情報、及び機能情報等の機器に関する情報を示す。尚、本実施例のポータルサイトサーバ２は、ＧＵＩ情報を格納したデータベース２ｂを有している。
【００１２】
次に、図２を参照しながら、本実施例のデジタルテレビ受信機１２の構成について説明する。図２に示すように、デジタルテレビ受信機１２においては、アンテナ１１で受信されたテレビジョン放送信号が、入力端子２１を介して選局処理部２２に供給される。この選局処理部２２は、入力されたテレビジョン放送信号から所望の放送チャンネルのテレビジョン信号を選局し、この選局されたテレビジョン信号を入力映像処理部２３及び入力音声処理部２４にそれぞれ出力する。
【００１３】
入力映像処理部２３は、入力されたテレビジョン信号の映像成分に対してデコード処理を施し、フィールドまたはフレーム単位の映像信号を復元して、出力映像処理部２５に出力する。入力音声処理部２４は、入力されたテレビジョン信号の音声成分に対してデコード処理を施し、音声信号を復元して出力音声処理部２６に出力する。
【００１４】
制御部２７は、後述する動作を含むデジタルテレビ受信機１２の全ての動作を統括的に制御する。また、制御部２７は、操作キー処理部２５が接続されており、操作キー処理部２５から入力される操作情報を受信し、その操作内容が反映されるように各回路部をそれぞれ制御している。
【００１５】
また、制御部２７はブラウザ処理部３７とレジデントアプリ処理部３８とを有しており、メモリ３８に格納されたメニュー画像生成ソフト、ＨＴＭＬソフト、ＢＭＬソフト、画質／音声パラメータ調整ソフト、番組表生成ソフト、番組録画予約ソフト等のアプリケーションプログラムを起動することにより各種処理を実行し、出力映像処理部２５を介して生成したＧＵＩ画像をモニタ１３に表示させる。
【００１６】
尚、メニュー画像生成ソフトは、リンク情報などを表示するメニュー画像を生成するためのプログラムである。ＨＴＭＬソフトは、ＨＴＭＬ形式で記述されたデータを処理するためのプログラムである。ＢＭＬソフトは、ＢＭＬ形式で記述されたデータを処理するためのプログラムである。画質／音声パラメータ調整ソフトは、映像信号における画質パラメータ及び音声信号における音声パラメータの調整を行うためのプログラムである。番組表生成ソフトは、放送局１から受信した番組表情報を基に番組表画像を生成するためのプログラムである。番組予約ソフトは、放送局１からの放送番組に対し録画予約情報を生成するためのプログラムである。
【００１７】
ブラウザ処理部３７は、レイアウト表示処理部２８、マークアップ言語処理部２９及びフォーカスイベント処理部３０から構成されており、マークアップ言語で記載されたコンテンツデータを解読し、レイアウトを再現する。
【００１８】
またブラウザ処理部３７は、ネットワーク１５に対するアクセス要求を発生し、通信処理部３２及び接続端子３１を介して、ネットワーク１５に送出することができる。例えば図３に示すように、本実施例のブラウザ処理部３７は、ネットワーク１５を介してポータルサイトサーバ２に接続し、データベース２ｂで格納されるＧＵＩ情報に対する取得要求をポータルサイトサーバ２に送信することができる。また、本実施例では、レジデントアプリ処理部３８により、デジタルテレビ受信機１２内部のデータを使ったレジデントアプリケーション（例えば、ＥＰＧ表示やメニュー設定、音声調節など）のＧＵＩ表示処理を実行する。このような構成により、本実施例では所望のＧＵＩ情報を好適に取得することができる。
【００１９】
次に、図４を用いてＧＵＩ情報を切り替え更新する処理の例について説明する。図４には、ポータルサイトサーバ２からのＧＵＩ情報を基に生成したＧＵＩ画像を、従来のＧＵＩ画像から切り替えるまで流れを示す。
【００２０】
図４に示すように、本実施例のブラウザ処理部３７は、ネットワーク１５を介してポータルサイトサーバ２に接続し、当該サーバ２のデータベース２ｂに格納される提供ＧＵＩ情報一覧３００を参照することができる。この提供ＧＵＩ情報一覧３００には、例えば複数のＧＵＩデザイン３００ａ〜３００ｆが提示されている。本実施例のブラウザ処理部３７は、ＧＵＩデザイン３００ａ〜３００ｆのうち、所望のデザインを選択決定することで、当該デザインを生成するＧＵＩ情報を取得し、従来のＧＵＩ画像を新たなＧＵＩ画像に更新することができる。このように本実施例では、複数のＧＵＩ情報から其々生成した多様なＧＵＩ画像を切り替えるための機能を有し、ＧＵＩ画像に関するきめ細かなカスタマイズを実現する。
【００２１】
尚ここでは、ＧＵＩ情報をポータルサイトサーバ２から取得する場合を想定して説明したが、これに限らず、当該ＧＵＩ情報は、例えばデジタルテレビ受信機１２のメモリ内に予め格納されていたり、或いは着脱可能なフラッシュメモリ等によってポータルサイトサーバ２以外の外部装置（図示していない）から新たに追加させたりしてもよい。
【００２２】
図２に戻り、ネットワーク１５から得られるコンテンツデータは、接続端子３１及び通信処理部３２を介して、マークアップ言語処理部２９に供給される。マークアップ言語処理部２９は、入力されたコンテンツデータのマークアップ言語を解析処理し、レイアウト表示処理部２８へ出力する。
【００２３】
レイアウト表示処理部２８は、入力された解析結果に基づいて表示すべきビットマップ情報を生成して出力映像処理部２５に出力し、効果音等の音声信号を生成して出力音声処理部２６に出力する。また、レイアウト表示処理部２８は、フォント処理部３４と接続されており、ビットマップ映像信号を生成する際にはフォント処理部３４を読み出して文字描画を行う。
【００２４】
フォーカスイベント処理部３０は、リモートコントローラ１６を含む図示しない操作部から入力されたキー情報に基づいて操作情報を判断する操作キー処理部３５が接続されている。フォーカスイベント処理部３０は、操作キー処理部３５から入力された操作情報に応じたレイアウト変更に関する情報をレイアウト表示処理部２８に出力する。例えばレイアウト変更に関する情報が出力されると、後述する表示画面上で所定のアイコンがフォーカスされている画像が表示される。これにより、ユーザは自身が選択指定したアイコンを視認することができる。
【００２５】
出力映像処理部２５は、レイアウト表示処理部２８から供給されたビットマップ情報を映像信号に変換する。そして、出力映像処理部２５は、入力映像処理部２３から供給された映像信号と、ビットマップ情報を変換した映像信号とを選択的に（または両映像信号を重畳してもよい）出力端子４１を介してモニタ１３に出力し、映像を表示させる。
【００２６】
出力音声処理部２６は、入力音声処理部２４から供給された音声信号と、レイアウト表示処理部２８から供給された音声信号とを選択的に（または両音声信号を重畳してもよい）出力端子４２を介してスピーカ１４に出力し、音声を再生させる。
【００２７】
メモリ３８は、制御部２７が実行するアプリケーションプログラムを格納した読み出し専用メモリ（図示していない）、制御部２７に作業エリアを提供する書き込みメモリ（図示していない）、各種の設定情報及び制御情報等が格納される不揮発性メモリ（図示していない）等から構成されている。
【００２８】
また、本実施例では、図５に示すようにメニュー画像上や、ポータルサイトサーバ２から提供された情報を基に生成したポータル画面上に例えばネットワークに接続された他のサーバ（図示しない）へ接続するためのリンク情報等を表示することができる。図５は、本実施例におけるポータル画面の一例を示す図である。図５に示すポータル画面５００には、外部サーバに接続するためのアイコン５０１，５０２、インターネットに接続するためのアイコン５０３、電子番組表へのリンクアイコン５０４、記録したコンテンツデータ一覧を表示するためのアイコン５０５等が示される。本実施例では、ポータル画面５００を含め、これらの各アイコンのデザインを好適に切り替えることができる。
【００２９】
次に、図６乃至図９を参照しながら、本実施例におけるデジタルテレビ受信機１２の動作を説明する。図６は、本実施例におけるデジタルテレビ受信機１２で管理するＧＵＩ情報の格納形態の一例を示す図である。図７は、本実施例のＧＵＩ画像の一例を示す。図８は、本実施例におけるデジタルテレビ受信機１２のＧＵＩ情報の管理形態の一例を示す図である。図９は、本実施例におけるデジタルテレビ受信機１２の動作の一例を示すフローチャートである。
【００３０】
以下では、図９のフローに沿って、デジタルテレビ受信機１２の動作を説明する。まず、本実施例におけるデジタルテレビ受信機１２の制御部２７では、電源起動処理または所定のアプリケーション起動処理が行われた場合（ステップＳ３１）、これらの処理に対応するアプリケーション種別のＧＵＩ情報を選定する（ステップＳ３２）。
【００３１】
ここで、本実施例におけるデジタルテレビ受信機１２では、例えば図示しないＲＯＭやＮＶＲＡＭ等で構成されるメモリ３８内にＧＵＩ情報を管理・格納する。例えば本実施例では、ＧＵＩ情報を３層構造或いは２層構造で管理する。
【００３２】
図６に示すように、本実施例のデジタルテレビ受信機１２では、ユーザへの表示や操作を行う初期画面画像や音量調整画像等のＧＵＩ画像を生成するため、アプリケーション毎に作成されたＧＵＩ情報（スキン）９０１ａ〜９０１ｃと、ＧＵI情報を同一のアプリケーション種別毎に纏めたＧＵＩ情報パターン（テーマ）９０２ａ〜９０２ｃと、ＧＵＩ情報パターンを相互に関連するグループ毎に纏めたＧＵＩ情報パターングループ（テーマグループ）９０３ａ〜９０３ｃと、を其々第１階層９０１、第２階層９０２、及び第３階層９０３として管理・格納している。
【００３３】
ステップＳ３２において具体的な処理の流れを説明すると、まず制御部２７は、現在デジタルテレビ受信機１２で起動中のアプリケーションに対応するテーマ又はテーマグループを、メモリ３７内に管理された第２階層９０２又は第３階層９０３のデータの中から選定する。次に制御部２７は、選定した第２階層９０２内のテーマ又は第３階層９０３内のテーマグループに其々属するスキンを選択する。
【００３４】
本実施例のデジタルテレビ受信機１２では、このスキンの選択処理において、例えば現在、再生表示中の放送番組のジャンルコードに基づき選択処理を実行したり、疑似乱数に基づきランダムに選択処理を実行したり、又はデジタルテレビ受信機１２のユーザやポータルサイト２の管理者が予め任意に設定したＧＵＩ情報の順序に従って毎回選択処理を実行したりする機能を有する。尚、これらの各機能を適宜組み合わせ、更に細かくカスタマイズすることも可能である。
【００３５】
この機能により、本実施例のデジタルテレビ受信機１２では、電源起動処理又はアプリケーション起動処理を行う度に異なるスキンを其々提示することができ、ユーザの嗜好に応じてきめ細かくカスタマイズすることを実現する。
【００３６】
以下、図７を参照しながら、本実施例のデジタルテレビ受信機１２で表示されるＧＵＩ画像の例について説明する。図７の例では、放送番組（ここではアニメ番組）のジャンルコードに基づき選択されたＧＵＩ画像７００や、番組スポンサに関する情報を示すＧＵＩ画像７０１、広告情報を示すＧＵＩ画像７０２等が表示されている。本実施例では、例えばＳＩ情報等に含まれるジャンルコードを抽出し、各放送番組に関連するＧＵＩ画像を第１階層９０１や第２階層９０２から選択する機能を有する。このような機能により、ユーザは現在視聴中の番組ジャンルを把握することができる。また、抽出したジャンルコードに対して複数のＧＵＩ画像候補が挙げられる場合は、その時点で疑似乱数に基づくランダム選択を実行しても良い。
【００３７】
尚、ここでは放送番組のジャンルコードに基づき選択されたＧＵＩ画像７００を選択した場合の例を示したが、これに限らず、所定のアプリケーションの起動に伴い、疑似乱数に基づくランダム選択を実行させたり、デジタルテレビ受信機１２のユーザやポータルサイト２の管理者等が予め任意に設定したＧＵＩ情報の順序に従って選択したりする場合でも良い。このような構成にすることで、ユーザの嗜好に合わせたカスタマイズや、ポータルサイト２の管理者等のサービス提供者からのカスタマイズ、或いは予想不可能な意外性をユーザに与えることができる。尚、本実施例では、擬似乱数を用いて選択する場合、一定の相互関連が認められるテーマ内或いはテーマグループ内で選択を実行するが、この構成に限るものではないことはいうまでもない。
【００３８】
また、ここではコンテンツデータの映像とともに、当該映像視聴の妨げにならない程度に番組スポンサに関する情報を示すＧＵＩ画像７０１や広告情報を示すＧＵＩ画像７０２を表示させることができる。このような構成にすることで、コンテンツデータの映像視聴中にスポンサの宣伝やスポンサからのサービス情報をユーザに提示することができる。
【００３９】
また、上述した通り本実施例では、デジタルテレビ受信機１２のユーザやポータルサイト２の管理者が、ＧＵＩ情報の順序を予め定めておくことができる。例えば、図８に示すように、予め定められたＧＵＩ情報の順序を示す情報を、Ｍ行Ｎ列のテーブル形式でデジタルテレビ受信機１２のメモリ３７内に管理・格納することで、制御部２７は、次に選択するべきスキンを参照することができる。
【００４０】
また、本実施例では、図８に示すテーブルをユーザに提示することができる。この構成によりＧＵＩ情報の順序を容易にユーザに把握させることを可能とする。尚、図８に示すテーブルは各枠内の情報を個別で変更することができる。このような構成にすることで、例えば、各ＧＵＩ情報に不具合が発生した場合等にユーザやポータルサイト２の管理者が適宜修正・更新を行うことができる。
【００４１】
また、本実施例では、ポータルサイト２の管理者等のサービス提供者が、上記構成を時期的条件と合わせて用いることで、表示時期や順序がある程度限定されている、例えばシーズン関連のＧＵＩ画像や一定期間のキャンペーン用ＧＵＩ画像、視聴率が高い時間帯で広告するために作成された宣伝ポスタなどの視聴率・時間帯を考慮して作成されたＧＵＩ画像等を好適なタイミングで表示させることができる。
【００４２】
尚、本実施例では、初めに第３階層９０３のテーマグループを選んだ場合、このテーマグループに属するスキンを直接選択しても良いが、テーマグループに属するテーマを上記選択方法により選択した後にスキンの選択処理を行っても良いものとする。
【００４３】
図９に戻り、ステップＳ３２においてＧＵＩ情報が選定された後、制御部２７は、当該ＧＵＩ情報からＧＵＩ画像を生成し、このＧＵＩ画像をモニタ装置１３に表示させる（ステップＳ３３）。
【００４４】
次に、制御部２７は、現在のデジタルテレビ受信機１２における動作状況が所定条件を満たすか否かを定期的に確認する（ステップＳ３４）。ここで、本実施例の所定条件とは、例えば、デジタルテレビ受信機１２のユーザやポータルサイト２の管理者が予め任意に設定した時間的条件（年月日、曜日、時刻、又は前回切換処理を行った時からの経過時間）や、定められたチャンネルへの指定コマンドの受信処理又は定められた放送番組の表示処理等の特定処理をトリガとする条件である。
【００４５】
例えば時間的条件を所定条件として採用する場合、定期的に変化するＧＵＩ画像をユーザに提供できる。また、上述した通り、この時間的条件とスキン選択機能とを適宜組み合わせて用いることで、好適な宣伝効果を得ることが出来る。
【００４６】
例えば定められたチャンネルへの指定コマンドの受信処理又は定められた放送番組の表示処理等の特定処理をトリガとする条件を所定条件として採用する場合、ユーザは自己が視聴しているチャンネル・放送番組の把握が容易になる。また、上述した通り、この条件とスキン選択機能とを適宜組み合わせて用いることで、放送局や放送番組スポンサの好適な宣伝効果を得ることが出来る。
【００４７】
図９に戻り、ステップＳ３４の処理で、現在のデジタルテレビ受信機１２における動作状況が所定条件を満たす場合（ステップＳ３４のＹｅｓ）、制御部２７は、現在起動中のアプリケーションと同一種別に属する他のＧＵＩ情報を新たに選定する（ステップＳ３５）。このときのＧＵＩ情報の選定処理では、ステップＳ３２と同様の選択処理を行うものとする。尚、本実施例では、スキン毎に過去切替え処理に採用された回数を記憶するとともに、所定回数以上の切替え処理がなされたスキンに対し今後の切替対象から外す機能を有する。このような機能により、本実施例では同一のスキンが何度も繰り返して採用される状態や、初回限定用に作成されたスキンが選択される状態を回避することができる。また、この機能を利用して過去に選定された回数が比較的少ないスキンを採用してもよい。このように本実施例では、新鮮なＧＵＩ画像をユーザに提示することができる。
【００４８】
次に、ステップＳ３５において新たなＧＵＩ情報が選定された後、制御部２７は、当該新たなＧＵＩ情報から新たなＧＵＩ画像を生成し、このＧＵＩ画像を現在表示中のＧＵＩ画像から切り替えてモニタ装置１３に表示させる（ステップＳ３６）。
【００４９】
最後に、制御部２７は、電源ＯＦＦのコマンドを受けたか否か定期的に確認する（ステップＳ３７）。ここで電源ＯＦＦのコマンドを受けていない場合は（ステップＳ３７のＮｏ）、処理をステップＳ３４に戻し、電源ＯＦＦのコマンドを受けた場合は（ステップＳ３７のＹｅｓ）、処理を終了する。
【００５０】
以上説明したように、本実施例のデジタルテレビ受信機１２では、定期的にＧＵＩ画像を切り替える機能を有する。この機能により、デジタルテレビ受信機１２では定期的に異なるスキンを切り替えてユーザに提示することができ、ユーザの嗜好に応じてきめ細かくカスタマイズすることを実現する。従って、本実施例のデジタルテレビ受信機１２では、ユーザインタフェース画面の切換え操作に関するユーザの利便性を向上させることを実現する。
【００５１】
また、本実施例で示したコンテンツデータ配信システムのデジタルテレビ受信機１２は、ポータルサイトサーバ２で生成されたＧＵＩ情報を取得する機能を有する。このように外部のサーバ装置からＧＵＩ情報を取得することにより、宅内ネットワークの構成や機能等の変化、ユーザからの要求やアップデート等に応じて適切なＧＵＩ画像を柔軟に生成することができる。
【００５２】
以上記載した様々な実施形態により、当業者は本実施形態を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【符号の説明】
【００５３】
１  放送局
２  ポータルサイトサーバ
１２  テレビジョン放送受信装置
１３  モニタ
１４  スピーカ
１５  ネットワーク情報網
１６  リモートコントローラ
２５  出力映像処理部
２６  出力音声処理部
２７  制御部
２８  レイアウト表示処理部
２９  マークアップ言語処理部
３０  フォーカスイベント処理部
３５  操作キー処理部
３７  ウェブブラウザ処理部
３８  メモリ
【図１】
2010237771.tif 000003
【図２】
2010237771.tif 000004
【図３】
2010237771.tif 000005
【図４】
2010237771.tif 000006
【図５】
2010237771.tif 000007
【図６】
2010237771.tif 000008
【図７】
2010237771.tif 000009
【図８】
2010237771.tif 000010
【図９】
2010237771.tif 000011
【手続補正書】
【提出日】平成22年7月23日(2010.7.23)
【手続補正１】
【補正対象書類名】特許請求の範囲
【補正対象項目名】全文
【補正方法】変更
【補正の内容】
【特許請求の範囲】
【請求項１】
アプリケーションに対応した画像情報を、少なくともアプリケーションの種別毎に関連する第１グループの画像情報と、前記第１グループの画像情報毎に相互に関連する第２グループの画像情報とに分け、かつ前記第１グループの画像情報と前記第２グループの画像情報を階層構造の情報として管理する管理手段と、
現在時刻が予め設定された時間的条件に合致するか否か判別する判別手段と、
アプリケーションの起動に伴って前記管理手段で管理される画像情報のうち、当該アプリケーションの種別と同一種別の前記第１グループ又は第２グループに属する第１画像情報を選定するとともに、この第１画像情報の選定後に前記判別手段で現在時刻が前記時間的条件に合致すると判別した場合には前記種別の前記第１グループ又は第２グループに属する第２画像情報を新たに選定する画像選定手段と、
前記画像選定手段による前記第１画像情報の選定に伴い、前記第１画像情報から第１画像を生成して表示装置に表示させるとともに、前記画像選定手段による前記第２画像情報の選定に伴い、当該第２画像情報から第２画像を生成し、この第２画像を前記第１画像から切り替えて前記表示装置に表示させる表示手段と、
を具備することを特徴とする情報処理装置。
【請求項２】
前記画像選定手段は、前記第１画像情報の選定後、所定時間の経過に伴って、前記第２画像情報を選定することを特徴とする請求項１記載の情報処理装置。
【請求項３】
前記画像選定手段は、前記第１画像情報の選定後、電源の再起動処理またはアプリケーションの再起動処理の何れか少なくとも一方の処理に伴い、前記第２画像情報を選定することを特徴とする請求項２記載の情報処理装置。
【請求項４】
放送局からの放送波を受信する放送波受信手段と、
操作入力を受ける入力手段と、を更に具備し、
前記画像選定手段は、前記第１画像情報の選定後に、定められたチャンネルへの前記入力手段による選択入力処理または定められた放送番組の表示処理の何れか少なくとも一方の処理に伴い、前記第２画像情報を選定することを特徴とする請求項３記載の情報処理装置。
【請求項５】
前記画像選定手段は、現在表示されている放送番組のジャンルコードを参照して前記第１画像情報と前記第２画像情報とを選定することを特徴とする請求項４記載の情報処理装置。
【請求項６】
前記表示手段は、前記時間的条件に時間指定がない場合、当該時間的条件に合致する日付で初めに実行される電源起動に伴い、前記第２画像を前記第１画像から切り替えて前記表示装置に表示させることを特徴とする請求項５記載の情報処理装置。
【請求項７】
前記画像選定手段は、疑似乱数を用いて前記第１画像情報と前記第２画像情報とを選定することを特徴とする請求項６記載の情報処理装置。
【請求項８】
前記画像選定手段は、前記入力手段により指定された画像情報を前記第１画像情報および前記第２画像情報として順に選定することを特徴とする請求項７記載の情報処理装置。
【請求項９】
前記画像選定手段は、前記管理手段で管理される画像情報毎に過去選定処理が実行された回数を参照し、所定回数以上に選定処理が実行された画像情報を今後の選定対象から外すことを特徴とする請求項８記載の情報処理装置。
【請求項１０】
前記画像選定手段は、関連するアプリケーションの他の種別の前記第１グループ又は第２グループに属する画像情報を前記第２画像情報として選定することを特徴とする請求項９記載の情報処理装置。
【請求項１１】
前記管理手段で管理される画像情報は、インターネット上のリソースの所在を示すＵＲＬ情報を格納し、
前記表示手段は、前記画像情報の前記ＵＲＬ情報を用いて前記リソースへのアクセスを可能とする画像を生成し、前記表示装置に表示させることを特徴とする請求項１０記載の情報処理装置。
【請求項１２】
前記第１グループの画像情報は、前記アプリケーションの種別毎に関連するテーマ情報からなり、前記第２グループの画像情報は、前記テーマ情報毎に相互に関連するスキン情報からなり、
前記管理手段は、前記アプリケーションの種別を相互に関連するグループ毎に分けて、前記テーマ情報と前記スキン情報を管理することを特徴とする請求項１１記載の情報処理装置。
【請求項１３】
放送局からの放送波を受信する放送波受信手段と、
操作入力を受ける入力手段と、
アプリケーションに対応した画像情報を、少なくともアプリケーションの種別毎に関連する第１グループの画像情報と、前記第１グループの画像情報毎に相互に関連する第２グループの画像情報とに分け、かつ前記第１グループの画像情報と前記第２グループの画像情報を階層構造の情報として管理する管理手段と、
前記管理手段で管理される前記第１グループ又は第２グループに属する第１画像情報を選定するとともに、この第１画像情報の選定後、定められたチャンネルへの前記入力手段による選択入力処理または定められた放送番組の表示処理の何れか少なくとも一方の処理に伴い、前記管理手段で管理される前記第１グループ又は第２グループに属する第２画像情報を新たに選定する画像選定手段と、
前記画像選定手段による前記第１画像情報の選定に伴い、前記第１画像情報から第１画像を生成して表示装置に表示させるとともに、前記画像選定手段による前記第２画像情報の選定に伴い、当該第２画像情報から第２画像を生成し、この第２画像を前記第１画像から切り替えて前記表示装置に表示させる表示手段と、
を具備することを特徴とする情報処理装置。
【手続補正２】
【補正対象書類名】明細書
【補正対象項目名】０００７
【補正方法】変更
【補正の内容】
【０００７】
前記目的を達成するため、本発明の一つの形態に係る情報処理装置は、アプリケーションに対応した画像情報を、少なくともアプリケーションの種別毎に関連する第１グループの画像情報と、前記第１グループの画像情報毎に相互に関連する第２グループの画像情報とに分け、かつ前記第１グループの画像情報と前記第２グループの画像情報を階層構造の情報として管理する管理手段と、現在時刻が予め設定された時間的条件に合致するか否か判別する判別手段と、アプリケーションの起動に伴って前記管理手段で管理される画像情報のうち、当該アプリケーションの種別と同一種別の前記第１グループ又は第２グループに属する第１画像情報を選定するとともに、この第１画像情報の選定後に前記判別手段で現在時刻が前記時間的条件に合致すると判別した場合には前記種別の前記第１グループ又は第２グループに属する第２画像情報を新たに選定する画像選定手段と、前記画像選定手段による前記第１画像情報の選定に伴い、前記第１画像情報から第１画像を生成して表示装置に表示させるとともに、前記画像選定手段による前記第２画像情報の選定に伴い、当該第２画像情報から第２画像を生成し、この第２画像を前記第１画像から切り替えて前記表示装置に表示させる表示手段と、を具備する。